【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
ハイパーテキスト転送プロトコルを用いてハイパーテキストマークアップ言語で記述された初期フレーム表示制御クライアント・プログラム、カテゴリーリスト表示制御クライアント・プログラム及びＰＬＵリスト表示制御クライアント・プログラムを含むＨＴＭＬリソースを供給するＷｅｂ−ＰＯＳサーバ装置を備えた、販売時点情報管理を行うためのＷｅｂ−ＰＯＳネットワーク・システムの制御方法であって、
Ｗｅｂ−ＰＯＳクライアント装置において、Ｗｅｂ−ＰＯＳサーバ装置のＵＲＬを指定してＷｅｂブラウザを起動することにより、
少なくとも、
１）上記Ｗｅｂ−ＰＯＳサーバ装置から上記Ｗｅｂ−ＰＯＳクライアント装置に初期フレーム表示制御クライアント・プログラムが送信され、実行される過程、
２）該実行により、上記Ｗｅｂ−ＰＯＳクライアント装置から上記Ｗｅｂ−ＰＯＳサーバ装置に対して、カテゴリーリスト表示制御クライアント・プログラムのダウンロードを要求するＨＴＴＰメッセージが送信される過程、
３）該要求に基づき、上記Ｗｅｂ−ＰＯＳサーバ装置において、上記カテゴリーリスト表示制御クライアント・プログラムが読み出されると共に、上記Ｗｅｂ−ＰＯＳクライアント装置に該カテゴリーリスト表示制御クライアント・プログラムが送信される過程、
４）上記Ｗｅｂ−ＰＯＳクライアント装置から上記Ｗｅｂ−ＰＯＳサーバ装置に対して、ＰＬＵリスト表示制御サーバ・プログラムの実行を指示するＨＴＴＰメッセージが送信される過程、
５）該指示により、上記Ｗｅｂ−ＰＯＳサーバ装置において、ＰＬＵリスト表示制御サーバ・プログラムによりＰＬＵマスタＤＢ内のレコード情報からＰＬＵリストが抽出され、該ＰＬＵリストを含むＰＬＵリスト表示制御クライアント・プログラムが生成されると共に、上記Ｗｅｂ−ＰＯＳクライアント装置に該ＰＬＵリスト表示制御クライアントプログラムが送信される過程、
からなり、
上記Ｗｅｂ−ＰＯＳサーバ装置のＰＬＵリスト表示制御サーバ・プログラムにより抽出されるＰＬＵリストが、上記Ｗｅｂ−ＰＯＳクライアント装置において商品カテゴリーが入力（選択）されるごとに、上記ＰＬＵマスタＤＢ内の該入力（選択）された商品カテゴリーに対応するレコード情報に基づき生成され、該Ｗｅｂ−ＰＯＳサーバ装置から該Ｗｅｂ−ＰＯＳクライアント装置に送信（ダウンロード）され、該Ｗｅｂ−ＰＯＳクライアント装置のタッチパネル、キーボード、マウス、電子ペン、またはスキャナ装置からなる入力手段を有する表示装置に表示されると共に、
上記表示装置の入力手段により、上記商品カテゴリーに対応するレコード情報に基づくＰＬＵリストから商品を特定するための商品識別情報が入力（選択）されると、該商品カテゴリーに対応するレコード情報に基づくＰＬＵリストから該入力（選択）された商品識別情報に対応する商品基礎情報のレコードが取得され、該取得された商品基礎情報に基づいて注文商品明細情報が該表示装置に出力される、汎用のコンピュータとインターネットを用い、ハイパーテキスト転送プロトコルに基づいて通信を行うＷｅｂサーバ・クライアント・システム上でＷｅｂブラウザのみで販売時点情報管理が実現されるＷｅｂ−ＰＯＳシステムにおいて、
上記商品基礎情報が上記Ｗｅｂ−ＰＯＳサーバ装置に設けられた上記ＰＬＵマスタＤＢにおいて管理されることにより、上記Ｗｅｂ−ＰＯＳクライアントの入力手段を有する表示装置において、上記商品識別情報が入力（選択）されるごとに該入力（選択）された商品識別情報に対応する上記商品基礎情報が取得され、該商品基礎情報が取得されるごとに該入力（選択）された商品識別情報と該取得された商品基礎情報に基づく上記注文商品明細情報が出力され、該出力された注文商品明細情報に基づく注文がユーザにより確定されると該注文商品明細情報が該上記Ｗｅｂ−ＰＯＳクライアント装置から上記Ｗｅｂ−ＰＯＳサーバ装置に送信されることで、該入力（選択）された商品識別情報ごとの注文商品の販売時点情報がリアルタイムに管理されることを特徴とするＷｅｂ−ＰＯＳネットワーク・システムの制御方法。
【請求項２】
前記Ｗｅｂ−ＰＯＳクライアント装置において前記Ｗｅｂ−ＰＯＳサーバ装置のＵＲＬを指定してＷｅｂブラウザを起動して行う該Ｗｅｂ−ＰＯＳクライアント装置による該Ｗｅｂ−ＰＯＳサーバ装置へのアクセスが、該Ｗｅｂ−ＰＯＳクライアント装置の前記入力手段を有する表示装置に表示されたアイコンを選択することにより該Ｗｅｂ−ＰＯＳサーバ装置のＵＲＬが指定されてＷｅｂブラウザが起動されることにより行われることを特徴とする、前記請求項１記載のＷｅｂ−ＰＯＳネットワーク・システムの制御方法。
【請求項３】
前記Ｗｅｂ−ＰＯＳサーバ装置に設けられるＰＬＵマスタＤＢの前記商品基礎情報が、ＨＴＴＰプロトコルまたは電子メールにより、商品供給元から受信され該ＰＬＵマスタＤＢに登録されると共に、該登録の商品が前記商品識別情報に基づき管理されること、また、前記注文商品明細情報に基づく売上情報が、ＨＴＴＰプロトコルまたは電子メールにより、該注文商品明細情報に基づく注文商品の商品供給元に送信されることを特徴とする、前記請求項１又は請求項２に記載のＷｅｂ−ＰＯＳネットワーク・システムの制御方法。
【請求項４】
Ｗｅｂ−ＰＯＳクライアント装置において、Ｗｅｂ−ＰＯＳサーバ装置のＵＲＬを指定してＷｅｂブラウザを起動することにより、
少なくとも、
１）上記Ｗｅｂ−ＰＯＳサーバ装置から上記Ｗｅｂ−ＰＯＳクライアント装置に初期フレーム表示制御クライアント・プログラムが送信され、実行される過程、
２）該実行により、上記Ｗｅｂ−ＰＯＳクライアント装置から上記Ｗｅｂ−ＰＯＳサーバ装置に対して、カテゴリーリスト表示制御クライアント・プログラムのダウンロードを要求するＨＴＴＰメッセージが送信される過程、
３）該要求に基づき、上記Ｗｅｂ−ＰＯＳサーバ装置において、上記カテゴリーリスト表示制御クライアント・プログラムが読み出されると共に、上記Ｗｅｂ−ＰＯＳクライアント装置に該カテゴリーリスト表示制御クライアント・プログラムが送信される過程、
４）上記Ｗｅｂ−ＰＯＳクライアント装置から上記Ｗｅｂ−ＰＯＳサーバ装置に対して、ＰＬＵリスト表示制御サーバ・プログラムの実行を指示するＨＴＴＰメッセージが送信される過程、
５）該指示により、上記Ｗｅｂ−ＰＯＳサーバ装置において、ＰＬＵリスト表示制御サーバ・プログラムによりＰＬＵマスタＤＢ内のレコード情報からＰＬＵリストが抽出され、該ＰＬＵリストを含むＰＬＵリスト表示制御クライアント・プログラムが生成されると共に、上記Ｗｅｂ−ＰＯＳクライアント装置に該ＰＬＵリスト表示制御クライアントプログラムが送信される過程、
からなり、
上記Ｗｅｂ−ＰＯＳサーバ装置のＰＬＵリスト表示制御サーバ・プログラムにより抽出されるＰＬＵリストが、上記Ｗｅｂ−ＰＯＳクライアント装置において商品カテゴリーが入力（選択）されるごとに、上記ＰＬＵマスタＤＢ内の該入力（選択）された商品カテゴリーに対応するレコード情報に基づき生成され、該Ｗｅｂ−ＰＯＳサーバ装置から該Ｗｅｂ−ＰＯＳクライアント装置に送信（ダウンロード）され、該Ｗｅｂ−ＰＯＳクライアント装置のタッチパネル、キーボード、マウス、電子ペン、またはスキャナ装置からなる入力手段を有する表示装置に表示されると共に、
上記表示装置の入力手段により、上記商品カテゴリーに対応するレコード情報に基づくＰＬＵリストから商品を特定するための商品識別情報が入力（選択）されると、該商品カテゴリーに対応するレコード情報に基づくＰＬＵリストから該入力（選択）された商品識別情報に対応する商品基礎情報のレコードが取得され、該取得された商品基礎情報に基づいて注文商品明細情報が該表示装置に出力される、汎用のコンピュータとインターネットを用い、ハイパーテキスト転送プロトコルに基づいて通信を行うＷｅｂサーバ・クライアント・システム上でＷｅｂブラウザのみで販売時点情報管理が実現されるＷｅｂ−ＰＯＳシステムにおいて、
上記Ｗｅｂ−ＰＯＳクライアントの入力手段を有する表示装置が、上記商品カテゴリーに対応するレコード情報に基づくＰＬＵリストの表示過程、該ＰＬＵリストから商品を特定するためユーザによる商品識別情報の入力（選択）を要求する商品基礎情報選択フォームの表示過程、該商品識別情報に対応して該ＰＬＵリストから取得される商品基礎情報に基づき出力される商品情報の表示過程、該商品情報に基づく注文商品明細情報を記入するためユーザによる確認または注文数の入力を要求する販売時点情報フォームの表示過程を含むことを特徴とする、前記請求項１〜３の内、いずれか１項に記載のＷｅｂ−ＰＯＳネットワーク・システムの制御方法に用いられるＷｅｂ−ＰＯＳクライアント装置。